【手続補正書】
【提出日】平成28年7月6日(2016.7.6)
【手続補正１】
【補正対象書類名】特許請求の範囲
【補正対象項目名】全文
【補正方法】変更
【補正の内容】
【特許請求の範囲】
【請求項１】
無線リンク制御(RLC)非確認応答モード(UM)での送信機と受信機との間のデータ通信の方法であって、
前記RLC UMで動作している前記送信機によって、ハイパーフレーム番号(HFN)非同期条件を判断するステップであって、複数の連続するプロトコルデータユニット(PDU)のうちの少なくとも1つのPDUが前記受信機に前記送信機によって正常に送信されたとき、前記HFN非同期条件が偽となり、前記複数の連続するPDUのすべてが失われたとき、前記HFN非同期条件が真となり、前記複数の連続するPDUの数が、RLC UMシーケンス番号の全周期、RLC UMシーケンス番号の前記全周期の倍数、またはRLC UMシーケンス番号の前記全周期よりも大きい数のうちの1つに等しい、判断するステップと、
前記HFN非同期条件が真であることに応答して、前記RLC UMで動作している前記送信機によって前記送信機の送信機HFNを調整するステップであって、前記調整された送信機HFNが前記RLC UMにおいて送信されるべき新しいPDUのために使用される、調整するステップと
を含む、方法。
【請求項２】
前記判断するステップが、
前記送信機のRLCサブレイヤによって、メディアアクセス制御(MAC)サブレイヤ中のPDUの送信ステータスに基づいて前記PDUの成功または不成功の送信ステータスを判断するステップと、
前記RLCサブレイヤによって、前記複数の連続するPDUに前記成功または不成功の送信ステータスをマッピングするステップと
を含む、請求項1に記載の方法。
【請求項３】
前記送信ステータスが、ハイブリッド自動再送要求(HARQ)を含み、前記MACサブレイヤが、前記RLCサブレイヤに送信ステータスプリミティブを与え、前記送信ステータスプリミティブがPDU送信のステータスを示す、請求項2に記載の方法。
【請求項４】
前記データ通信が、前記送信機から前記受信機へのアップリンク通信を含み、前記MACサブレイヤと前記RLCサブレイヤとが前記送信機においてコロケートされ、前記MACサブレイヤが、前記MACサブレイヤと前記RLCサブレイヤとの間のレイヤ間通信インターフェースを介して前記RLCサブレイヤに前記HARQを与える、請求項2に記載の方法。
【請求項５】
前記データ通信が、前記送信機から前記受信機へのダウンリンク通信を含み、前記MACサブレイヤが、第1のネットワークエンティティと第2のネットワークエンティティとの間のネットワークレイヤ間通信を介して前記RLCサブレイヤに前記HARQを与え、前記第1のネットワークエンティティが、前記RLCサブレイヤを含み、前記第2のネットワークエンティティが、前記MACサブレイヤを含む、請求項2に記載の方法。
【請求項６】
前記送信機または前記受信機の各々が、ノードB、ユーザ機器、またはネットワークエンティティを含む、請求項1に記載の方法。
【請求項７】
前記送信機HFNを調整する前記ステップが、
前記受信機の受信機HFNと前記送信機HFNを同期させるように前記送信機HFNを調整するステップであって、前記送信機と前記受信機とが、同じHFNと、同じRLC UMシーケンス番号とを使用するとき、前記送信機および前記受信機の暗号化および解読パラメータが同期される、調整するステップ
を含む、請求項1に記載の方法。
【請求項８】
前記送信機HFNを調整する前記ステップが、
前記送信機HFNを減分するステップ
を含む、請求項1に記載の方法。
【請求項９】
無線リンク制御(RLC)非確認応答モード(UM)での送信機と受信機との間のデータ通信のためのコンピュータ実行可能コードを記憶したコンピュータ可読記録媒体であって、
前記RLC UMで動作している前記送信機によって、ハイパーフレーム番号(HFN)非同期条件を判断するためのコードであって、複数の連続するプロトコルデータユニット(PDU)のうちの少なくとも1つのPDUが前記受信機に前記送信機によって正常に送信されたとき、前記HFN非同期条件が偽となり、前記複数の連続するPDUのすべてが失われたとき、前記HFN非同期条件が真となり、前記複数の連続するPDUの数が、RLC UMシーケンス番号の全周期、RLC UMシーケンス番号の前記全周期の倍数、またはRLC UMシーケンス番号の前記全周期よりも大きい数のうちの1つに等しい、判断するためのコードと、
前記HFN非同期条件が真であるとき、前記RLC UMで動作している前記送信機によって前記送信機の送信機HFNを調整するためのコードであって、前記調整された送信機HFNが前記RLC UMにおいて送信されるべき新しいPDUのために使用される、調整するためのコードと
を含む、コンピュータ可読記録媒体。
【請求項１０】
無線リンク制御(RLC)非確認応答モード(UM)での送信機と受信機との間のデータ通信のための装置であって、
実行可能命令を記憶した少なくとも1つのプロセッサに結合されたメモリと、
前記メモリと通信する前記少なくとも1つのプロセッサと
を含み、
前記少なくとも1つのプロセッサが、
前記RLC UMで動作している前記送信機によって、ハイパーフレーム番号(HFN)非同期条件を判断することであって、複数の連続するプロトコルデータユニット(PDU)のうちの少なくとも1つのPDUが前記受信機に前記送信機によって正常に送信されたとき、前記HFN非同期条件が偽となり、前記複数の連続するPDUのすべてが失われたとき、前記HFN非同期条件が真となり、前記複数の連続するPDUの数が、RLC UMシーケンス番号の全周期、RLC UMシーケンス番号の前記全周期の倍数、またはRLC UMシーケンス番号の前記全周期よりも大きい数のうちの1つに等しい、判断することと、
前記HFN非同期条件が真であるとき、前記RLC UMで動作している前記送信機によって前記送信機の送信機HFNを調整することであって、前記調整された送信機HFNが前記RLC UMにおいて送信されるべき新しいPDUのために使用される、調整することと
を行うための命令を実行するように構成される、装置。
【請求項１１】
無線リンク制御(RLC)非確認応答モード(UM)での送信機と受信機との間のデータ通信のための装置であって、
前記RLC UMで動作している前記送信機によって、ハイパーフレーム番号(HFN)非同期条件を判断するための手段であって、複数の連続するプロトコルデータユニット(PDU)のうちの少なくとも1つのPDUが前記受信機に前記送信機によって正常に送信されたとき、前記HFN非同期条件が偽となり、前記複数の連続するPDUのすべてが失われたとき、前記HFN非同期条件が真となり、前記複数の連続するPDUの数が、RLC UMシーケンス番号の全周期、RLC UMシーケンス番号の前記全周期の倍数、またはRLC UMシーケンス番号の前記全周期よりも大きい数のうちの1つに等しい、判断するための手段と、
前記HFN非同期条件が真であるとき、前記RLC UMで動作している前記送信機によって前記送信機の送信機HFNを調整するための手段であって、前記調整された送信機HFNが前記RLC UMにおいて送信されるべき新しいPDUのために使用される、調整するための手段と
を含む、装置。
【請求項１２】
判断するための前記手段が、さらに、
前記送信機のRLCサブレイヤによって、メディアアクセス制御(MAC)サブレイヤ中のPDUの送信ステータスに基づいて前記PDUの成功または不成功の送信ステータスを判断することと、
前記RLCサブレイヤによって、前記複数の連続するPDUに前記成功または不成功の送信ステータスをマッピングすることと
を行うためのものである、請求項11に記載の装置。
【請求項１３】
前記送信ステータスが、ハイブリッド自動再送要求(HARQ)を含み、前記MACサブレイヤが、前記RLCサブレイヤに送信ステータスプリミティブを与え、前記送信ステータスプリミティブがPDU送信のステータスを示す、請求項12に記載の装置。
【請求項１４】
前記データ通信が、前記送信機から前記受信機へのアップリンク通信を含み、前記MACサブレイヤと前記RLCサブレイヤとが前記送信機においてコロケートされ、前記MACサブレイヤが、前記MACサブレイヤと前記RLCサブレイヤとの間のレイヤ間通信インターフェースを介して前記RLCサブレイヤに前記HARQを与える、請求項12に記載の装置。
【請求項１５】
前記データ通信が、前記送信機から前記受信機へのダウンリンク通信を含み、前記MACサブレイヤが、第1のネットワークエンティティと第2のネットワークエンティティとの間のネットワークレイヤ間通信を介して前記RLCサブレイヤに前記HARQを与え、前記第1のネットワークエンティティが、前記RLCサブレイヤを含み、前記第2のネットワークエンティティが、前記MACサブレイヤを含む、請求項12に記載の装置。
【請求項１６】
前記送信機または前記受信機の各々が、ノードB、ユーザ機器、またはネットワークエンティティを含む、請求項11に記載の装置。
【請求項１７】
調整するための前記手段が、前記受信機の受信機HFNと前記送信機HFNを同期させるように前記送信機HFNを調整し、前記送信機と前記受信機とが、同じHFNと、同じRLC UMシーケンス番号とを使用するとき、前記送信機および前記受信機の暗号化および解読パラメータが同期される、請求項11に記載の装置。
【請求項１８】
調整するための前記手段が、前記送信機HFNを減分することによって前記送信機HFNを調整する、請求項11に記載の装置。